(57)【特許請求の範囲】
【請求項１】
厚紙を冊子状の箱型に折り曲げてその中央部表面に記録デスクを外部から見えるような状態で固定するディスク収容部を設けた包装容器であって、
矩形状底部の周囲に前記記録ディスクケースの厚さよりも大きい幅をもつ左右及び前後の側壁部を有し、前記左右両側壁部の外側には夫々外端に前記側壁部の幅と同じ幅の重合係止片を突設した前記底部の横幅の半分の横幅をもつ左右のフラップ状表面部を対称的に設けて、
これら表面部と前記重合係止片とには、該表面部の横幅方向に沿った一対の切り込み線と、前記重合係止片における前記表面部との間の折り線から前記記録ディスクケースの厚さ分だけ該重合係止片内に入り込んだ部分に、前記表面部の横幅方向に沿った一対の切り込み線の一端間を結ぶようにして該重合係止片の長さ方向に沿った切り込み線とを設け、
前記夫々の切り込み線により囲まれた表面部の内側部分を、前記表面部の横幅方向に沿った一対の切り込み線における左右両側壁部側の他端間を結ぶ折り線を介して、該折り線の内側に左右両側壁部方向へ折り返された係止凹部が設けられるように前記底部方向へ折り重ねて凹陥部を形成し、
前記両表面部を前記重合係止片が互いに重合するようにして底部と平行に折り曲げ、前後の両側壁部に折り線を介し突設した差込み辺を底部と平行に折り曲げられた前記両表面部の両端部内側に差し込み係止したことを特徴とする記録ディスク用包装容器。
【発明の詳細な説明】
【０００１】
【発明の属する技術分野】
本発明は、コンピーターのソフトウェアをディスクに記憶させて販売する際に使用される記録ディスク用の包装容器に関するものである。
【０００２】
【従来の技術】
従来よりこの種の記録ディスクは、プラスチック製のディスクケースに収納されて、ディスクケース単独か、もしくはマニュアル冊子と併せて、冊子状の大きさと厚さを有するように形成された厚紙もしくは発砲樹脂製の包装容器内に封入されて販売されている。
【０００３】
記録ディスクケースを収納する冊子状の包装容器を、その素材の面から見た場合、発砲樹脂製のものは廃棄処分の際に高熱を発生したり環境を汚染することから利用が抑制される傾向にあり、厚紙を折り曲げて形成する容器が主流を占めている。
【０００４】
また、厚紙を折り曲げて形成する容器を、その構造の面から見た場合、従来のものは、例えば、実公昭５７−４８７３５号、実開昭６２−６５９８７号、特開平６−１５６５７０号、特開平６−２６３１３６号に示されるように、容器の中央部にディスクケースを嵌合収納する凹陥部を設けて、ディスクケースをこの凹陥部内に嵌合したのち、このディスクケースが簡単に凹陥部外へ離脱しないように、容器の一端に設けた蓋板をディスクケース凹陥部の上に折り曲げてディスクケース凹陥部を蓋板により閉じる構造としている。
【０００５】
【発明が解決すべき課題】
しかしながら、この種の記録ディスクをマニュアル冊子と併せて、冊子状の大きさと厚さを有するように形成した厚紙製の包装容器内に封入して販売する際には、この包装容器内にマニュアル冊子と一体に販売される特定の記録ディスクケースが収納されていることを外側から認識できることが好ましいのに、ディスクケース凹陥部の表面が容器の蓋板により閉じられていると、購入者は容器内に目的とするディスクケースが収納されているのか否かを確認することができず、不安になるという問題がある。
【０００６】
このような問題に対しては、包装容器にディスクケース凹陥部の表面を閉じる蓋板を設けずに、凹陥部内にディスクケースが収納されている状態が外側から認識できるようにして、例えば、包装容器の外周を透明なフィルムによりシュリンクパッケージするような方法が考えられるが、このような方法では、包装容器が、ディスクケースを単に凹陥部内に嵌合しただけで凹陥部内にしっかりと固定されていない構造であると、外側のフィルムを破ぶくことでディスクケースが盗まれてしまうという問題がある。
【０００７】
【課題を解決するための手段】
本発明は、従来の記録ディスク用包装容器におけるこの種の問題点に鑑み、厚紙を折り畳むことで形成される簡単な機構の包装容器であって、表面の凹陥部内に収納した記録ディスクを外側から見ることができ、しかも記録ディスクが凹陥部内にしっかりと固定されるように嵌め込まれていて、外側のフィルムを破ぶいただけでは凹陥部外へ取り出せないようにした記録ディスク用包装容器の提供を目的としたものである。
【０００８】
本発明に係る記録ディスク用包装容器は、そのための具体的手段として、厚紙を冊子状の箱型に折り曲げてその中央部表面に記録デスクを外部から見えるような状態で固定するディスク収容部を設けた包装容器であって、矩形状底部の周囲に前記記録ディスクケースの厚さよりも大きい幅をもつ左右及び前後の側壁部を有し、前記左右両側壁部の外側には夫々外端に前記側壁部の幅と同じ幅の重合係止片を突設した前記底部の横幅の半分の横幅をもつ左右のフラップ状表面部を対称的に設けて、これら表面部と前記重合係止片とには、該表面部の横幅方向に沿った一対の切り込み線と、前記重合係止片における前記表面部との間の折り線から前記記録ディスクケースの厚さ分だけ該重合係止片内に入り込んだ部分に、前記表面部の横幅方向に沿った一対の切り込み線の一端間を結ぶようにして該重合係止片の長さ方向に沿った切り込み線とを設け、前記夫々の切り込み線により囲まれた表面部の内側部分を、前記表面部の横幅方向に沿った一対の切り込み線における左右両側壁部側の他端間を結ぶ折り線を介して、該折り線の内側に左右両側壁部方向へ折り返された係止凹部が設けられるように前記底部方向へ折り重ねて凹陥部を形成し、前記両表面部を前記重合係止片が互いに重合するようにして底部と平行に折り曲げ、前後の両側壁部に折り線を介し突設した差込み辺を底部と平行に折り曲げられた前記両表面部の両端部内側に差し込み係止したことを特徴とする。
【０００９】
【発明の実施の形態】
本発明に係る記録ディスク用包装容器の構成を図面に示す実施例により説明すると、この記録ディスク用包装容器は、図１及び図２に示すように、Ａ４判あるいはＢ５判のブックサイズと同じ大きさをもつ縦長状の底部２と、この底部２の周囲に折り線３，４を介して設けられた記録ディスクケース１の厚さＴよりも大きい幅をもつ左右及び前後の側壁部５，６と、左右両側壁部５の外側に折り線７を介して対称的に設けられた前記底部２の横幅の半分の横幅Ｙをもつ左右のフラップ状表面部８と、前後の両側壁部６の外側に折り線１０を介し突設された差込み辺９とから基本的に構成されている。
【００１０】
左右両側壁部５の外側に折り線７を介して対称的に設けられた前記底部２の横幅の半分の横幅Ｙをもつ左右のフラップ状表面部８は、夫々外端に折り線１２を介して前記側壁部５の幅と同じ幅の重合係止片１１が突設されており、図３に示すように、後の折り畳み工程で、これら左右の表面部８を、前記側壁部５との間の折り線７により夫々底部２と平行な方向へ折り曲げると共に、夫々外端の重合係止片１１を折り線１２により内側に折り曲げて互いに重合することにより、夫々の表面部８が底部２の上面に平行に折り重ねられるようになっている。
【００１１】
前記の表面部８には、該表面部８の横幅Ｙ方向に沿った一対の切り込み線１３が重合係止片１１にかけて設けられていると共に、前記重合係止片１１には、前記表面部８と重合係止片１１との間の折り線１２から前記記録ディスクケース１の厚さＴ分だけ該重合係止片１１内に入り込んだ部分に、前記表面部８の横幅Ｙ方向に沿った両切り込み線１３の一端１３ａ間を結ぶようにして重合係止片１１の長さ方向に沿った切り込み線１４が設けられている。
【００１２】
また、前記表面部８の横幅Ｙ方向に沿った前記一対の切り込み線１３と、重合係止片１１の長さ方向に沿った切り込み線１４とにより囲まれた内側部分８ａには、前記表面部８の横幅Ｙ方向に沿った両切り込み線１３の左右両側壁部５側の他端１３ｂ間を結ぶ位置に折り線１５が設けられている。
【００１３】
前記表面部８の横幅Ｙ方向に沿った一対の切り込み線１３，１３の間隔Ｅは、前記記録ディスクケース１の一辺の長さＬが嵌まり込めるような大きさとすることが好ましい。
【００１４】
また、前記表面部８における両切り込み線１３の他端１３ｂに設けられる折り線１５の位置としては、図３に示すように、後の折り畳み工程で、夫々の表面部８を底部２の上面に平行に方向へ折り重ねると共に、前記表面部８の両切り込み線１３と重合係止片１１の切り込み線１４とにより囲まれた内側部分８ａを、該表面部８における左右両側壁部５側の折り線１５により内側へ折り曲げて、いずれも底部２の表面方向へ凹ませることで凹陥部１６を形成したときに、この凹陥部１６の横幅間隔Ｄが前記記録ディスクケース１の横寸法Ｈよりも小さく、従って、前記凹陥部１６内に記録ディスクケース１を収納したときに、該記録ディスクケース１の両側端１ａが前記両折り線１５の内側部分に係止されるような距離に設定されている。
【００１５】
更に、前記表面部８の前記一対の切り込み線１３と重合係止片１１の切り込み線１４とにより囲まれた内側部分８ａには、前記表面部８における前記折り線１５から重合係止片１１に寄った側の所定の間隔を置いた位置に折り線１７と、更にこの折り線１７とは前記記録ディスクケース１の厚さＴに相当する間隔を置いた位置に折り線１８とが設けられていて、前記のように記録ディスクケース１を両表面部８の内側に形成される前記凹陥部１６内に収納したときに、該記録ディスクケース１の両側端１ａが前記折り線１５の内側部分における折り線１７と１８とにより形成される係止凹部１９に固定された状態で保持されるようになっている。
【００１６】
前記のように、表面部８の両切り込み線１３と重合係止片１１の切り込み線１４とにより囲まれた内側部分８ａを、折り線１５により内側へ折り曲げて凹陥部１６を形成し、この凹陥部１６内に記録ディスクケース１を収納すると、記録ディスクケース１の両側端１ａが前記折り線１５の内側部分の係止凹部１９内に係止固定されると共に、互いに重合された前記重合係止片１１には、折り線１２から前記記録ディスクケース１の厚さＴ分だけ該重合係止片１１内に入り込んだ部分に、切り込み線１４が設けられているため、記録ディスクケース１の中央部下面が、底部２の中央部に立設された両重合係止片１１の前記切り込み線１４の上に支えられ、記録ディスクケース１が凹陥部１６内に安定よく保持されることになる。
【００１７】
一方、表面部８と重合係止片１１の間の折り線１２の両端には切り込み２０が設けられると共に、前後両側壁部６の外側に突設された差込み辺９の外縁中央部にも切り込み２１が設けられており、互いに折り畳まれた前記両表面部８の両端内面に前後両側壁部６の差込み辺９を挿入しつつ、その切り込み２１を両表面部８の折り線１２における切り込み２０内に係合することで、両表面部８と差込み辺９とが箱体としての一体形状を維持できるように組み立てられる。
【００１８】
なお、上記の図１に示す実施例では、表面部８に設けられるの横幅Ｙ方向に沿った一対の切り込み線１３，１３を、平行な同じ長さのものとして説明したが、この一対の切り込み線１３，１３は必ずしも平行な同じ長さのものでなくてもよく、例えば、図４に示すように、一対の切り込み線１３，１３を長さの異なる曲線により形成して、自由な形状の凹陥部１６が設けられるようにしてもよい。
【００１９】
【発明の効果】
以上に述べたように、本発明の記録ディスク用包装容器は、記録ディスクケース１の厚さよりも大きい幅をもつ左右両側壁部５，６の外側に、夫々外端に前記側壁部５，６の幅と同じ幅の重合係止片１１を突設した前記底部２の横幅の半分の横幅をもつ左右のフラップ状表面部８を対称的に設けて、これら表面部８と前記重合係止片１１とには、該表面部８の横幅方向に沿った一対の切り込み線１３と、前記重合係止片１１における前記表面部８との間の折り線１２から前記記録ディスクケース１の厚さ分だけ該重合係止片１１内に入り込んだ部分に、前記表面部８の横幅方向に沿った両切り込み線１３の一端間を結ぶようにして該重合係止片１１の長さ方向に沿った切り込み線１４とを設け、前記夫々の切り込み線１３，１４により囲まれた表面部８の内側部分を、前記表面部８の横幅方向に沿った一対の切り込み線１３における左右両側壁部５側の他端間を結ぶ折り線１５を介して、該折り線１５の内側に左右両側壁部５方向へ折り返された係止凹部１９が設けられるように前記底部２方向へ折り重ねることで凹陥部１６を形成したので、記録ディスクケース１をこの凹陥部１６内に嵌め込んだ時に、記録ディスクケース１は、その両端が係止凹部１９に固定されると共に、中央部下面が重合係止片１１の切り込み線１４上に安定よく支持された状態で、外側から簡単に取り出せないよう安全に収納することができる。
【００２０】
また、この包装容器では、凹陥部１６内に記録ディスクケース１を嵌め込んだのち、外側を透明フィルムによりシュリンクパッケージングして販売すれば、凹陥部１６内に収納された記録ディスクケース１の表面が従来のこの種の容器のように蓋板で閉じられることなくオープンになっているので、購入者にとっては外側からその内容を確認できて都合がよいと共に、仮に、店頭で外側の透明フィルムを剥がして凹陥部１６内の記録ディスクケースを取り出そうとしても、ディスクケースの両端が凹陥部１６の係止凹部１９に固定されていて、前後両側壁６の差込み辺９を表面部８から外して箱体を展開しない限り、凹陥部１６から簡単に取り出せないため、販売者にとっては盗難予防の面から好適であるという効果を有する。
【図面の簡単な説明】
【図１】本発明に係る記録ディスク用包装容器の構成を示す斜視図。
【図２】包装容器の構成を示す展開図。
【図３】包装容器の凹陥部内に記録ディスクケースが収納された状態の断面図。
【図４】別の実施例に係る包装容器の構成を示す斜視図。
【符号の説明】
１：記録ディスクケース、  ２：底部、  ３：折り線、  ４：折り線、  ５：左右両側壁部、  ６：前後両側壁部、  ７：折り線、  ８：表面部、  ９：差込み辺、  １０：折り線、  １１：重合係止片、  １２：折り線、  １３：切り込み線、  １４：切り込み線、  １５：折り線、  １６：凹陥部、  １７：折り線、１８：折り線、  １９：係止凹部、  ２０：切り込み、  ２１：切り込み
【図１】
0003701787.tif 000002
【図２】
0003701787.tif 000003
【図３】
0003701787.tif 000004
【図４】
0003701787.tif 000005